(57)【要約】【課題】乳幼児を、ストレスが生じることなく、好適に基板に保持すると共に、乳幼児の保持動作を容易に行える乳幼児保持具を提供する。【解決手段】乳幼児を仰臥させて載置させる基板１０と、乳幼児を前記基板１０に寝返り不能に保持する保持手段とを備える乳幼児保持具であって、前記基板１０は、硬質材から形成し、前記保持手段は、前記基板１０に載置された乳幼児の一方の肩部近傍部から対角上の腰部近傍部に掛かる第１締結帯２１，２２と、他方の肩部近傍部から対角上の腰部近傍部に掛かる第２締結帯２３，２４とを備え、前記第１締結帯２１，２２および第２締結帯２３，２４は、係止部２１ｄ、２２ｄ、２３ｄ、２４ｄにより着脱自在に締結されるように構成した。【選択図】図１
2006015119.tif 000002
【特許請求の範囲】
【請求項１】
乳幼児を仰臥させて載置させる基板と、
乳幼児を前記基板に寝返り不能に保持する保持手段とを備える乳幼児保持具であって、
前記基板は、硬質材から形成し、
前記保持手段は、前記基板に載置された乳幼児の一方の肩部近傍部から対角上の腰部近傍部に掛かる第１締結帯と、他方の肩部近傍部から対角上の腰部近傍部に掛かる第２締結帯とを備え、
前記第１締結帯および第２締結帯は、係止部により着脱自在に締結されてなることを特徴とする乳幼児保持具。
【請求項２】
前記係止部は、前記第１締結体および第２締結帯にそれぞれ設けられてなることを特徴とする請求項１記載の乳幼児保持具。
【請求項３】
前記係止部は、雄型と雌型を有する一対のバックルにより形成され、
前記第１締結帯および第２締結帯は、前記バックルにおける前記第１締結帯および第２締結帯の折り返しにより、長さ調整自在に形成されてなる請求項２に記載の乳幼児保持具。
【請求項４】
前記基板は、横長矩形状に形成されてなり、
前記基板の縦長さを前記基板における肩部近傍部から腰部近傍部に亘る長さとし、前記縦長さと横長さの比を１対３乃至２対３として形成されてなることを特徴とする請求項１乃至３のいずれかに記載の乳幼児保持具。
【請求項５】
前記基板は、乳幼児を仰臥させて載置させる載置面にクッション材を備えてなる請求項１乃至４のいずれかに記載の乳幼児保持具。
【請求項６】
前記第１締結帯および第２締結帯は、前記第１締結帯と前記第２締結帯との交差部において、前記第１締結帯と前記第２締結帯とを着脱自在に固定する固定手段を設けてなることを特徴とする請求項１乃至５のいずれかに記載の乳幼児保持具。
【請求項７】
前記固定手段は、前記第１締結帯と第２締結帯とに装着したスナップボタンにて構成してなることを特徴とする請求項６に記載の乳幼児保持具。
【請求項８】
前記固定手段は、前記第１締結帯および第２締結帯の所定箇所に複数箇所設けてなることを特徴とする請求項６又は７に記載の乳幼児保持具。
【発明の詳細な説明】
【技術分野】
【０００１】
本発明は、乳幼児保持具、詳しくは乳幼児を仰臥させて載置させる基板と、乳幼児を前記基板に寝返り不能に保持する保持手段とを備える乳幼児保持具に関する。
【背景技術】
【０００２】
乳幼児を仰臥させておむつを交換する場合において、乳幼児がむずがり、体を捻る等して、おむつ交換に手間取る場合がある。このような場合、おむつ交換を手間なく行うための器具として、例えば、特開２００３−７０６０２号に記載されているような、乳幼児を仰臥させて載置させる基板と、乳幼児を前記基板に寝返り不能に保持する保持手段とを備える乳幼児保持具が提案さてれている（特許文献１参照）。
【特許文献１】特開２００３−７０６０２号公報（第１頁、図１）。
【０００３】
図１５は、前記特開２００３−７０６０２号公報に記載された乳幼児保持具を示す正面図である。この乳幼児保持具は、硬質材の入ったクッションシート材約１ＣＭ程の敷物Ａの上部に、右側肩保持用帯Ｃ左側肩保持用帯Ｄを通す、横の溝によって移動調整が可能な横溝Ｅを設け、硬質材の入ったクッションシート材約１ＣＭ程の敷物Ａの右側部に、左側肩保持用帯Ｄと胸囲保持用帯Ｂを通す、縦溝によって上下移動調整が可能な縦溝Ｇを設け、硬質材の入ったクッションシート材約１ＣＭ程の敷物Ａの左側部に、右側肩保持用帯Ｃと胸囲保持用帯Ｂを通す、縦溝によって上下移動調整が可能な縦溝Ｆを設け、右側肩保持用帯Ｃと左側肩保持用帯Ｄと胸囲保持用帯Ｂを保持しており、右側肩保持用帯Ｃと左側肩保持用帯Ｄと胸囲保持用帯Ｂをそれぞれ結ぶことにより、乳幼児を敷物Ａに固定し、おむつ交換する者にかかる負担等を減少させ、乳幼児に与える不快感も減少させるようにしている。
【発明の開示】
【発明が解決しようとする課題】
【０００４】
しかしながら、特開２００３−７０６０２号公報に記載の乳幼児保持具は、前記敷物Ａの形状が縦長の矩形状であり、その横幅では乳幼児の体を捻る動作等に対して、十分な抵抗を保てない場合がある。
【０００５】
また、前記の乳幼児保持具は、右側肩保持用帯Ｃ、および左側肩保持用帯Ｄで乳幼児のそれぞれの肩を保持し、胸囲保持用帯Ｂで胸囲を保持しているため、乳幼児の腕の動きが保持され、乳幼児に強い拘束感を与え、乳幼児にストレスを与える。
【０００６】
さらに、帯の端部どうしを締結する箇所が３個所あり、しかも、帯の端部どうしを結んで乳幼児の動きを抑えるという構成であるため、帯の締結の際の操作が面倒である。
【０００７】
加えて、締結操作を容易にするため、帯の端部どうしを面ファスナで接続する場合であっても、乳幼児の着衣の厚薄により、また、乳幼児の成長の度合いにより、帯の長さを調整するためには、面ファスナを相当長くする必要があるが、その場合においては、面ファスナを長くすると見苦しくなり、さらには、面ファスナは使用頻度により劣化する場合があり、加えて、乳幼児の動きが激しい場合等においては、面ファスナでは結束強度を保つことができない場合が生じる。
【０００８】
本発明は、かかる事情に鑑みてなされたものであり、乳幼児を仰臥させて載置させる基板と、乳幼児を前記基板に寝返り不能に保持する保持手段とを備える乳幼児保持具において、前記基板を硬質材から形成し、前記保持手段を前記基板に載置された乳幼児の一方の肩部近傍部から対角上の腰部近傍部に掛かる第１締結帯と、他方の肩部近傍部から対角上の腰部近傍部に掛かる第２締結帯とにより構成し、前記第１締結帯および第２締結帯を係止部により着脱自在に締結できるように構成して、乳幼児にストレスを生じさせることのないように、好適に基板に保持すると共に、乳幼児の保持動作を容易に行える乳幼児保持具を提供することにある。
【課題を解決するための手段】
【０００９】
請求項１に記載の乳幼児保持具は、乳幼児を仰臥させて載置させる基板と、乳幼児を前記基板に寝返り不能に保持する保持手段とを備える乳幼児保持具であって、前記基板は、硬質材から形成し、前記保持手段は、前記基板に載置された乳幼児の一方の肩部近傍部から対角上の腰部近傍部に掛かる第１締結帯と、他方の肩部近傍部から対角上の腰部近傍部に掛かる第２締結帯とを備え、前記第１締結帯および第２締結帯は、係止部により着脱自在に締結されてなることを特徴とする。
【００１０】
請求項１に記載の発明にあっては、乳幼児を、ストレスが生じることなく、好適に基板に保持すると共に、保持動作を容易に行うことができる。
【００１１】
請求項２に記載の乳幼児保持具は、請求項１記載の乳幼児保持具において、前記係止部は、前記第１締結体および第２締結帯にそれぞれ設けられてなることを特徴とする。
【００１２】
請求項２に記載の発明にあっては、前記第１締結体および第２締結帯にそれぞれ設けられた係止部によって、乳幼児の基板への保持動作を容易に行うことができる。
【００１３】
請求項３に記載の乳幼児保持具は、請求項１又は２記載の乳幼児保持具において、前記係止部は、雄型と雌型を有する一対のバックルにより形成され、前記第１締結帯および第２締結帯は、前記バックルにおける前記第１締結帯および第２締結帯の折り返しにより、長さ調整自在に形成されてなることを特徴とする。
【００１４】
請求項３に記載の発明にあっては、係止部に設けられた雄型と雌型を有する一対のバックルによって乳幼児の基板への保持動作を容易に行うことができ、さらに、乳幼児の着衣の厚薄又は乳幼児の成長の度合いに拘わらず、帯の長さの調整を容易に行うことができる。
【００１５】
請求項４に記載の乳幼児保持具は、請求項１乃至３の何れかに記載の乳幼児保持具において、前記基板は、横長矩形状に形成されてなり、前記基板の縦長さを前記基板における肩部近傍部から腰部近傍部に亘る長さとし、前記縦長さと横長さの比を１対３乃至２対３として形成されてなることを特徴とする。
【００１６】
請求項４に記載の発明にあっては、前記基板の縦長さを前記基板における肩部近傍部から腰部近傍部に亘る長さとし、前記縦長さと横長さの比を１対３乃至２対３とする横長矩形状に形成することにより、乳幼児の体を捻る動作等に対して、基板を、最小限の大きさで必要十分な抵抗を有するものとすることができる。
【００１７】
請求項５に記載の乳幼児保持具は、請求項１乃至３の何れかに記載の乳幼児保持具において、前記基板は、乳幼児を仰臥させて載置させる載置面にクッション材を備えてなることを特徴とする。
【００１８】
請求項５に記載の発明にあっては、乳幼児にストレスを生じさせることなく、好適に基板に保持することができる。
【００１９】
請求項６に記載の乳幼児保持具は、請求項１乃至５の何れかに記載の乳幼児保持具において、前記第１締結帯および第２締結帯は、前記第１締結帯と前記第２締結帯との交差部において、前記第１締結帯と前記第２締結帯とを着脱自在に固定する固定手段を設けてなることを特徴とする。
【００２０】
請求項６に記載の発明にあっては、前記第１締結帯と前記第２締結帯との交差部において、着脱自在な前記固定手段により夫々を固定することができるので、前記交差部を固定した場合は、乳幼児が体を捻る等の動作をしても、前記交差部が迫り上がることにより前記交差部が乳幼児の首等を締め付けることはなく、乳幼児にストレスを生じさせることなく、好適に基板に保持することができる。
【００２１】
請求項７に記載の乳幼児保持具は、請求項６に記載の乳幼児保持具において、前記固定手段は、前記第１締結帯と前記第２締結帯とに装着したスナップボタンにて構成してなることを特徴とする。
【００２２】
請求項７に記載の発明にあっては、前記固定手段をスナップボタンにより構成しているので、汎用部材を使用することにより、容易かつ安価に乳幼児保持具を製作することができる。
【００２３】
請求項８に記載の乳幼児保持具は、請求項６又は７に記載の乳幼児保持具において、前記固定手段は、前記第１締結帯および第２締結帯の所定箇所に複数箇所設けてなることを特徴とする。
【００２４】
請求項８に記載の発明にあっては、前記第１締結帯と前記第２締結帯との交差部における固定位置を調節することができるので、乳幼児の身長等に合わせて、好適な位置にて前記交差部を固定することができる。
【発明の効果】
【００２５】
請求項１に記載の乳幼児保持具は、乳幼児にストレスを生じるさせることなく、好適に基板に保持すると共に、保持動作を容易に行うことができる。
【００２６】
請求項２に記載の乳幼児保持具は、前記第１締結体および第２締結帯にそれぞれ設けられた係止部によって、乳幼児の基板への保持動作を容易に行うことができる。
【００２７】
請求項３に記載の乳幼児保持具は、係止部に設けられた雄型と雌型を有する一対のバックルによって乳幼児の基板への保持動作を容易に行うことができ、さらに、乳幼児の着衣の厚薄又は乳幼児の成長の度合いに拘わらず、帯の長さの調整を容易に行うことができる。
【００２８】
請求項４に記載の乳幼児保持具は、乳幼児の体を捻る動作等に対して、最小限の大きさで必要十分な抵抗を有することができる。
【００２９】
請求項５に記載の乳幼児保持具は、乳幼児にストレスを生じさせることなく、好適に基板に保持することができる。
【００３０】
請求項６に記載の乳幼児保持具は、前記第１締結帯と前記第２締結帯との交差部において、着脱自在な前記固定手段により夫々を固定することができるので、前記交差部を固定した場合は、乳幼児が体を捻る等の動作をしても、前記交差部が迫り上がることにより前記交差部が乳幼児の首等を締め付けることはなく、乳幼児にストレスを生じさせることなく、好適に基板に保持することができる。
【００３１】
請求項７に記載の乳幼児保持具は、前記固定手段をスナップボタンにより構成しているので、汎用部材を使用することにより、容易かつ安価に乳幼児保持具を製作することができる。
【００３２】
請求項８に記載の乳幼児保持具は、前記第１締結帯と前記第２締結帯との交差部における固定位置を調節することができるので、乳幼児の身長等に合わせて、好適な位置にて固定することができる。
【発明を実施するための最良の形態】
【００３３】
以下、本発明に係る実施の形態を図面に基づいて説明する。
【００３４】
（第１の実施の態様）
【００３５】
図１乃至図１４は、本発明の第１の実施の態様を示す乳幼児保持具であり、図１は本発明に係る乳幼児保持具の正面図であり、図２は図１におけるＡ−Ａ断面図である。
【００３６】
図１および図２において、１０は基板であり、合成樹脂等から形成する硬質材１１を横長の矩形状に形成し、その上面（乳幼児を載置する面）に、スポンジ等で形成するクッション材１２を接着材等により貼付している。
【００３７】
前記基板１０は、好適には、例えば、縦長（図１における上下方向）を１５０ｍｍとし、横長（図１における左右方向）を３００ｍｍに形成し、その縦長さと横長さの比を１対２に形成する。前記基板１０の寸法は、これに限定されるものではなく、例えば、前述の寸法を基準として、その上下５０ｍｍの範囲で、Ｌ，Ｍ，Ｓのサイズを用意することも可能である。また、その縦横の寸法比も、１対３程度から２対３程度の寸法比にすると、好適である。すなわち、前記基板１０は、乳幼児の寝返りに対する抵抗となるものであり、このため、寝返りを防ぐように所定横長を持つ硬質材が用いられているのであり、前記基板１０の、所定縦長は、後述する締結帯の固着できる長さ、すなわち、乳幼児の肩部近傍部から腰部近傍部をカバーできる長さがあれば十分であり、また、所定横長は、前記縦長の１，５倍乃至３倍程度の長さがあれば、寝返りを十分防止でき、かつ、最小限の大きさとなり、乳幼児の寝返りに対する抵抗を保持しつつ、収納性、運搬性および使い易さにもすぐれたサイズとなる。
【００３８】
前記クッション材１２は、乳幼児を前記基板１０上に仰臥させた姿勢で載置したときに、乳幼児に基板の硬質感を与えないようにするために用いられる。従って、前記クッション材１２は、前記基板１０上に載置させた乳幼児に前記基板１０の硬質感を与えない程度に柔軟性を有するものであれば足り、形成材料もウレタン発泡体のような特定の材料に限定されず、例えば、エラストマー、スポンジゴムなどの高弾性を有するプラスチック材料で形成しても良く、また、平坦な袋の中に、綿、絹などの天然繊維、ポリエチレン、ポリプロピレン、ナイロンなどの合成繊維、羽毛のうちの１又は複数を充填した平坦なマット、平坦に近いエアマットなどのいずれかでクッション材を形成しても良い。
【００３９】
また、前記クッション材１２は、前記基板１０と同じ形状のものを用いるのが好ましいが、必ずしもこの形状に限定されるものではなく、例えば、後述する各締結体２１〜２４の基端帯２１ａ〜２４ａと前記基板１０とを直接保持できるように、対応部分に開口を設けた形状としても良い。また、乳幼児の背中の体型に沿った窪み（図示せず）を形成しても良い。更には、仰臥させて基板上に載置した乳幼児の頭部を載せる枕状の突状部（図示せず）を形成しても良い。
【００４０】
さらに、前記クッション材１２は、前記基板１０の上面に接着剤を用いて貼り付けられているが、前記クッション材１２が前述したマットで形成されている場合には、前記クッション材１２（マット）が汚れたときに、前記クッション材１２を前記基板１０から取り外して洗濯できるように、面ファスナー（図示せず）を利用してクッション材を基板に取り付けても良い。また、前記クッション材１２の裏面に微細な吸盤が無数形成されたシートを貼り付けて、この吸盤を利用して前記クッション材１２を前記基板１０に吸着させて取り付けても良い他、両面粘着テープ、ホック、ボタンなどを利用して、前記クッション材１２を前記基板１２に取り付けても良い。
【００４１】
そして、以上のように形成された前記基板１０には、乳幼児を前記基板１０に保持するための第１締結帯２１，２２と第２締結帯２３，２４とが、リベット３１，３２，３３，３４により固着されている。
【００４２】
図３は、前記各締結帯の固着部の要部側面図であり、図４は締結帯の要部断面図であり、図４（ａ）は図１におけるＢ−Ｂ線断面図、図４（ｂ）は図１におけるＣ−Ｃ線断面図である。
【００４３】
前記第１締結帯２１，２２および第２締結帯２３，２４は、いずれも長さ方向の略中央部で２本に分割された帯体で構成しており、前記第１締結帯２１，２２は、第１上部締結帯２１と第１下部締結帯２２により構成され、前記第２締結帯２３，２４は、第２上部締結帯２３と第２下部締結帯２４により構成されている。
【００４４】
そして、前記基板１０の（図１における）左上部に、前記第１上部締結帯２１の基端帯２１ａの基部をリベット３１により固定し、さらに基端帯２１ａの端部を巻回してループを形成して該ループに金属製のリング２１ｂを挿通している。さらに該リング２１ｂに帯状本体２１ｃを巻回して取り付けており、該帯状本体２１ｃの開放端には、雄バックル２１ｄを巻回して取り付けている。一方、前記基板１０の（図１における）右下部に、第１下部締結帯２２の基端帯２２ａの基部をリベット３２により固定し、さらに基端帯２２ａの端部を巻回してループを形成して該ループに金属製のリング２２ｂを挿通している。さらに該リング２２ｂに帯状本体２２ｃを巻回して取り付けており、該帯状本体２２ｃの開放端には、雌バックル２２ｄを巻回して取り付けている。
【００４５】
また、同様に、前記基板１０の（図１における）右上部に、前記第２上部締結帯２３の基端帯２３ａの基部をリベット３３により固定し、さらに基端帯２３ａの端部を巻回してループを形成して該ループに金属製のリング２３ｂを挿通している。さらに該リング２３ｂに帯状本体２３ｃを巻回して取り付けており、該帯状本体２３ｃの開放端には、雄バックル２３ｄを巻回して取り付けている。一方、前記基板１０の（図１における）左下部に、第２下部締結帯２４の基端帯２４ａの基部をリベット３４により固定し、さらに基端帯２４ａの端部を巻回してループを形成して該ループに金属製のリング２４ｂを挿通している。さらに該リング２４ｂに帯状本体２４ｃを巻回して取り付けており、該帯状本体２４ｃの開放端には、雌バックル２４ｄを巻回して取り付けている。
【００４６】
以上のように、前記第１締結帯２１，２２と第２締結帯２３，２４とは、後述する係止部材によって係止された状態において、前記基板１０の略中央部において交差するように配置されているのである。
【００４７】
なお、前記第１締結帯２１，２２および第２締結帯２３，２４に使用される各帯体の素材は特に限定するものではないが、例えば、ナイロン又はポリエチレンなどの合成繊維がテープ状に織られて形成されたテープバンドを用いると、丈夫で柔軟性が高く、汚れたときに水洗いができ、安価であるために、好適である。また、抗菌加工された帯体を用いても良い。
【００４８】
図５は、係止部の係止状態を示す図であり、（ａ）は係止前の正面図であり、（ｂ）は係止状態の一部断面図である。
【００４９】
本実施例において、係止部を構成する係止部材は、合成樹脂製の偏平筒状をなす前記雌バックル２４ｄ（２２ｄ）と、他端側に前記雌バックル２４ｄ（２２ｄ）内に抜き差し可能に差し入れられる差し入れ部２３ｈ（２１ｈ）を有する前記雄バックル２３ｄ（２１ｄ）とにより構成されており、前記雌バックル２４ｄ（２２ｄ）内への前記雄バックル２３ｄ（２１ｄ）の差し入れ部２３ｈ（２１ｈ）の差し入れに伴って、前記雌バックル２４ｄ（２２ｄ）と前記雄バックル２３ｄ（２１ｄ）とが係合するように構成される。
【００５０】
すなわち、前記雌バックル２４ｄ（２２ｄ）は前記偏平筒状をなす筒状本体の一方の開口を前記雄バックル２３ｄ（２１ｄ）の差し入れ部２３ｈ（２１ｈ）の差し入れ側２４ｅ（２２ｅ）とすると共に、該筒状本体の他方の開口側に、前記帯状本体２４ｃ（２２ｃ）の巻回部２４ｆ（２２ｆ）を備えている。巻回部２４ｆ（２２ｆ）は、前記他方の開口の幅側の両開口縁より外方に向けて延びる向き合った一対の側板２４ｇ（２２ｇ）の先端間に亘るように前記帯状本体２４ｃ（２２ｃ）の巻回桿２４ｈ（２２ｈ）を設けて構成してある。また、前記偏平筒状をなす雌バックル２４ｄ（２２ｄ）における幅狭側にある両側部には、前記一方の開口から他方の開口に向けて延びる長穴状の係合窓２４ｉ（２２ｉ）が開設してある。
【００５１】
一方、雄バックル２３ｄ（２１ｄ）は、向い合う一対の側板２３ｅ（２１ｅ）間に亘るように前記帯状本体２３ｄ（２１ｄ）の巻回桿２３ｆ（２１ｆ）を備えた枠状をなす巻回部２３ｇ（２１ｇ）の一側部に、前記雌バックル２４ｄ（２２ｄ）への差し入れ部２３ｈ（２１ｈ）を備えている。この差し入れ部２３ｈ（２１ｈ）は、該雌バックル２４ｄ（２２ｄ）内への差し入れに伴って、一旦内側に撓み込まされると共に、さらに差し入れることにより、該雌バックル２４ｄ（２２ｄ）における幅狭側にある両側部の前記係合窓２４ｉ（２２ｉ）の前記一方の開口側にある窓縁に係合される係合突部２３ｉ（２１ｉ）を先端に備えた一対の弾性係合片２３ｊ（２１ｊ）と、この一対の弾性係合片２３ｊ（２１ｊ）、２３ｊ（２１ｊ）間にあって、該弾性係合片２３ｊ（２１ｊ）と同方向に突き出す桿状をなす中足２３ｋ（２１ｋ）とから構成されている。
【００５２】
従って、前記した係止部材によれば、図５に示されるように、前記雌バックル２４ｄ（２２ｄ）の巻回部２４ｆ（２２ｆ）に帯状本体２４ｃ（２２ｃ）を巻回、固定すると共に、前記雄バックル２３ｄ（２１ｄ）の巻回部２３ｇ（２１ｇ）に帯状本体２３ｄ（２１ｄ）を巻回して固定した状態で、雌バックル２４ｄ（２２ｄ）内に雄バックル２３ｄ（２１ｄ）の差し入れ部２３ｈ（２１ｈ）を差し入れて、雌バックル２４ｄ（２２ｄ）における前記係合窓２４ｉ（２２ｉ）から前記雄バックル２３ｄ（２１ｄ）の弾性係合片２３ｊ（２１ｊ）の先端に備えられた係合突部２３ｉ（２１ｉ）を突き出させるようにして雌バックル２４ｄ（２２ｄ）と雄バックル２３ｄ（２１ｄ）を係合させ、これにより前記両帯状本体２４ｃ（２２ｃ）、２３ｄ（２１ｄ）をこの係止部材を介して連結させることができる。また、前記雌バックル２４ｄ（２２ｄ）における係合窓２４ｉ（２２ｉ）から突き出されている雄バックル２３ｄ（２１ｄ）の係合突部２３ｉ（２１ｉ）を外側から把持、押圧して、前記弾性係合片２３ｊ（２１ｊ）を内側に撓み込ませることにより、雌バックル２４ｄ（２２ｄ）と雄バックル２３ｄ（２１ｄ）との係合状態を解いて、前記両帯状本体２４ｃ（２２ｃ）、２３ｄ（２１ｄ）の連結を解除することができるのである。
【００５３】
以上のように構成された係止部材によれば、係止部材の着脱が容易にでき、さらに、前記第１締結帯および第２締結帯の各帯状本体は、前記バックルにおける帯体の折り返しにより、長さが自在に調整できることとなる。
【００５４】
なお、図６は正面図、図７は背面図、図８は右側面図、図９は平面図、図１０は底面図である。左側面図は右側面図と対称に現れる。図６乃至図１０において、前記図１乃至図５と共通する部材には同一の番号を付して説明を省略する。
【００５５】
図１１は、使用状態を説明する正面図であり、図１２は乳幼児の保持状態を示す正面図である。以上のように構成された乳幼児保持具を使用するには、先ず、前記基板１０の上面を上に向けた状態で、前記基板１０を、布団や畳などの平坦で広くて安全な面の上に置き、第１締結帯２１，２２と第２締結帯２３，２４に設けられている係止部材を解除させて、前記各帯状本体２１ｃ〜２４ｃの先端部２１ｄ〜２４ｄを広げた状態にする。そして、前記基板１０の上に乳幼児を仰臥させた状態で載置させ、その後、第１締結帯２１，２２又は第２締結帯２３，２４のいずれか一方を、乳幼児の一方の肩部から胸部上を通過して対角方向の腰側部ないしその近傍箇所に至るように掛けて係止させ、続いて、第１締結帯２１，２２又は第２締結帯２３，２４のいずれか他方を、乳幼児の一方の肩部から胸部上を通過して対角方向の腰側部ないしその近傍箇所に至るように掛けて係止させる。
【００５６】
このようにすると、乳幼児の頭部および両腕部を除く上半身は、第１締結帯２１，２２および第２締結帯２３，２４によって、平面視Ｘ字形状にクロス掛けされて、前記基板１０上に好適に保持されるため、乳幼児の寝返りは抑えられ、オシメの交換をが楽に行うことができるようになる。
【００５７】
このように、本発明の乳幼児保持具は、乳幼児の保持が第１締結帯２１，２２および第２締結帯２３，２４という最少単位の２本の帯体で行なわれ、しかも、各締結帯の係止が係止部材を係止させて楽に行なわれるように構成されており、３本の保持用帯で乳幼児を保持する方法が採られて使い勝手が面倒になっていた前記従来の乳幼児保持具とは、構造および使用方法において大きく異なる。とくに、本発明の乳幼児保持具は、第１締結帯２１，２２および第２締結帯２３，２４をクロス掛けして乳幼児の頭部および両腕部を除く上半身を前記基板１０に保持するようになっているため、乳幼児の両腕の動きは保持されず、このため、乳幼児を不必要に保持することはないのである。
【００５８】
なお、前記基板１０の形状は特定の形状に限定されないが、その形状に興趣性を与えるため、図１３に示すように、天使の翼をモチーフとした形状、または、図１４に示すように、蝶の羽をモチーフとした形状に形成しても良い。
【００５９】
（第２の実施の態様）
【００６０】
図１５乃至図２１は、本発明の第２の実施の態様を示す乳幼児保持具であり、図１５は本発明の第２の実施の態様の乳幼児保持具の正面図であり、図１６は同背面図であり、図１７（ａ）は同左側面図、（ｂ）は同右側面図であり、図１８（ａ）は同平面図、（ｂ）は同底面図である。また、図１９乃至２１は、第２の実施の態様の乳幼児保持具の装着方法を説明する正面図である。なお、図１５乃至図２１において図１乃至図１４と共通する部分には同一符号を付し、重複する説明は省略する。
【００６１】
図中、４１は固定手段としてのスナップボタン４０を構成する雄型スナップであり、４２は前記スナップボタン４０を構成する雌型スナップである。前記雄型スナップ４１は、前記雌型スナップ４２との嵌合面に、嵌合凸部４１ｂを突設しており、前記雌型スナップ４２は、内部に弾性片４２ｂを並行状に配設し、前記嵌合凸部を着脱自在に受け入れる嵌合凹部４２ａを有している。
【００６２】
そして、前記第１上部締結帯２１の長手方向に適宜間隔を開けて前記雄型スナップ４１を３個配設する一方、前記第２上部締結帯２３の長手方向にも適宜間隔を開けて前記雌型スナップ４２を３個配設している。
【００６３】
図１９乃至図図２１は、以上のように構成された乳幼児保持具の装着方法の一例を示す図である。
【００６４】
前記固定手段（４１，４２）を備える乳幼児保持具に乳幼児を保持する場合は、先ず、図１９に示すように、前記基板１０の上面を上に向けた状態で、前記基板１０を、布団や畳などの平坦で広くて安全な面の上に置き、第１締結帯２１，２２と第２締結帯２３，２４に設けられている係止部材を解除させて、前記各帯状本体２１ｃ〜２４ｃの先端部２１ｄ〜２４ｄを広げた状態にする。そして、前記基板１０の上に乳幼児を仰臥させた状態で載置させる。
【００６５】
そして、図２０に示すように、前記第１上部締結帯２１および前記第２上部締結帯２３を、乳幼児の両肩部から胸部上にクロスするように掛けて、交差部が首の方向に迫り上がらないように、前記雄型スナップ４１と前記雌型スナップ４２とを嵌着する。このとき、前記雄型スナップ４１と前記雌型スナップ４２とは、前記第１上部締結帯２１および前記第２上部締結帯２３の長手方向に３個ずつ配設されているので、交差部における固定位置を調節することができ、所望の位置にて固定することができるのである。
【００６６】
前記交差部を前記スナップボタン４０（４１，４２）によって固定した後、前記第１上部締結帯２１と、前記第１下部締結帯２２とを、夫々前記雄バックル２１ｄおよび前記雌バックル２２ｄとによって係合するとともに、前記第２上部締結帯２３と、前記第２下部締結帯２４とを、夫々前記雄バックル２３ｄおよび前記雌バックル２４ｄとによって係合して、乳幼児を前記基板１０に保持するのである。
【００６７】
以上のように、前記前記第１締結帯２１，２２と前記第２締結帯２３，２４との交差部を、固定手段によって、固定する場合は、乳幼児が体を捻る等の動作をしても、前記交差部が迫り上がることにより前記交差部が乳幼児の首等を締め付けることはなく、乳幼児にストレスを生じさせることなく、好適に基板に保持することができる。また、前記固定手段を、前記第１締結帯２１，２２および第２締結帯２３，２４の所定箇所に複数箇所設けた場合は、前記第１締結帯２１，２２と前記第２締結帯２３，２４との交差部における固定位置を調節することができるので、乳幼児の身長等に合わせて、好適な位置にて固定することができるのである。
【００６８】
なお、前記スナップボタン４０（４１，４２）は、前記第１上部締結帯２１および前記第２上部締結帯２３に配設したが、前記第１下部締結帯２２および前記第２下部締結帯２４に配設してもよく、さらに、前記第１上部締結帯２１と前記第２下部締結帯２４、または、前記第１下部締結帯２２と前記第２上部締結帯２３とに配設してもよいことは勿論である。
【００６９】
さらに、前記固定手段は、前記スナップボタン４０（４１，４２）により、着脱自在に構成したが、これに限定されず、周知の固定手段によって構成してもよい。
【図面の簡単な説明】
【００７０】
【図１】本発明の第１の実施の態様に係る乳幼児保持具の正面図である。
【図２】図１におけるＡ−Ａ断面図である。
【図３】各締結帯の固着部の要部側面図である。
【図４】締結帯の要部断面図であり、（ａ）は図１におけるＢ−Ｂ線断面図、（ｂ）は図１におけるＣ−Ｃ線断面図である。
【図５】係止部の係止状態を示す図であり、（ａ）は係止前の正面図であり、（ｂ）は係止状態の一部断面図である。
【図６】本発明の第１の実施の態様に係る乳幼児保持具の正面図である。
【図７】本発明の第１の実施の態様に係る乳幼児保持具の背面図である。
【図８】本発明の第１の実施の態様に係る乳幼児保持具の右側面図である。
【図９】本発明の第１の実施の態様に係る乳幼児保持具の平面図である。
【図１０】本発明の第１の実施の態様に係る乳幼児保持具の底面図である。
【図１１】使用状態を説明する正面図である。
【図１２】乳幼児の保持状態を示す正面図である。
【図１３】基板の他の形状の正面図である。
【図１４】基板の他の形状の正面図である。
【図１５】本発明の第２の実施の態様に係る乳幼児保持具の正面図である。
【図１６】本発明の第２の実施の態様に係る乳幼児保持具の背面図である。
【図１７】本発明の第２の実施の態様に係る乳幼児保持具の側面図であり、（ａ）は同左側面図、（ｂ）は同右側面図である。
【図１８】（ａ）は同平面図、（ｂ）は同底面図である。
【図１９】本発明に係る乳幼児保持具の装着方法の一例を示す正面図である。
【図２０】本発明に係る乳幼児保持具の装着方法の一例を示す正面図である。
【図２１】本発明に係る乳幼児保持具の装着方法の一例を示す正面図である。
【図２２】従来例の乳幼児保持具を示す正面図である。
【符号の説明】
【００７１】
１０                              基板
２１，２２                        第１締結帯
２３，２４                        第２締結帯
２１ｄ、２２ｄ、２３ｄ、２４ｄ    係止部
【図１】
2006015119.tif 000003
【図２】
2006015119.tif 000004
【図３】
2006015119.tif 000005
【図４】
2006015119.tif 000006
【図５】
2006015119.tif 000007
【図６】
2006015119.tif 000008
【図７】
2006015119.tif 000009
【図８】
2006015119.tif 000010
【図９】
2006015119.tif 000011
【図１０】
2006015119.tif 000012
【図１１】
2006015119.tif 000013
【図１２】
2006015119.tif 000014
【図１３】
2006015119.tif 000015
【図１４】
2006015119.tif 000016
【図１５】
2006015119.tif 000017
【図１６】
2006015119.tif 000018
【図１７】
2006015119.tif 000019
【図１８】
2006015119.tif 000020
【図１９】
2006015119.tif 000021
【図２０】
2006015119.tif 000022
【図２１】
2006015119.tif 000023
【図２２】
2006015119.tif 000024